(57)【要約】  【課題】  本発明は、壁面に棚などを取り付ける家具において、比較的大きな荷重物を取り付けても壁面の負担が少なく、又、少ない構成で位置の調整ができるようにすること課題とする。  【解決手段】  壁面取付家具として、壁面に取り付ける被取付物を固定する構成を有する板体もしくは棒体により構成され、下端を床面に接地される縦部材と、壁面に水平に設けられる内部に溝を持つレール体の前記溝に係止するとともに、前記縦部材を固定する固定部材とを有するよう構成する。【選択図】  図１
2006247101.tif 000002
【特許請求の範囲】
【請求項１】
壁面に取り付ける被取付物を固定する構成を有する板体もしくは棒体により構成され、下端を床面に接地される縦部材と、
壁面に水平に設けられる内部に溝を持つレール体の前記溝に係止するとともに、前記縦部材を固定する固定部材と
を有する壁面固定家具。
【請求項２】
前記固定部材は前記縦部材の前面を壁面側に押し付けることにより前記縦部材を固定する請求項１に記載の壁面固定家具。
【請求項３】
前記固定部材は前記縦部材の背面を壁面から所定距離を持って支持する支持部材を有する請求項２に記載の壁面固定家具。
【請求項４】
前記縦部材の下端に摩擦係数を大きくする滑り止め部材を設けた請求項１から３のいずれか１項に記載の壁面固定家具。
【請求項５】
前記固定部材は前記レール体に摺動可能に固定されている請求項１から４のいずれか１項に記載の壁面固定家具。
【請求項６】
請求項１から３のいずれか１項に記載の固定部材。
【発明の詳細な説明】
【技術分野】
【０００１】
本発明は壁面に棚や時計などを取り付けるための家具に関する。
【背景技術】
【０００２】
従来、壁面に棚や、時計などを設ける方法としては、壁面に直接木ネジなどを利用して固定する方法や、箱状の家具を壁際に設置し内部に棚や時計を設置する方法、天井と床間を押圧することにより固定される棒材間に棚等を設ける方法などがある。しかし、直接ネジなどで壁面に固定する方法では、壁面が傷むとともに壁面の内部が柔軟な場合には使用できず、箱状の家具は床面が狭くなる問題がある。また、天井と床間にわたる棒材を使用する場合には、天井まで至る構造が必要であるため圧迫感があり、部材の無駄も多い。
これに対応するものとして、下記特許文献１、２には、予め壁面にレールや穴を設けておき、棚等にはこれに係合する固定具を設けることにより、壁面に棚等を取り付けることが示されている。
【特許文献１】特開２００３−１８４２６４公報
【特許文献２】特開２００２−２１２９１公報
【発明の開示】
【発明が解決しようとする課題】
【０００３】
しかし、上記特許文献１、２に記載の発明は、壁面に直接取り付けるために、固定部分の耐荷重を超えた重量物を取り付けると壁面にかかる負担が大きくなるという問題がある。また、レールに固定する場合、取付物に固定具が設けられているので取付高さが調整できず、調整をするためには複数のレールを設ける必要がある。穴に固定する場合も高さや横方向の位置を調整するためには、壁面全面に穴を設ける必要が生じ壁面のデザインが大きく限定されてしまう。
以上のことを鑑みて、本発明は、壁面に棚などを取り付ける家具において、比較的大きな荷重物を取り付けても壁面の負担が少なく、又、少ない構成で位置の調整ができるようにすること課題とする。
【課題を解決するための手段】
【０００４】
上記課題を解決するために、本発明は次のような構成を有する。
請求項１に記載の発明は、壁面に取り付ける被取付物を固定する構成を有する板体もしくは棒体により構成され、下端を床面に接地される縦部材と、壁面に水平に設けられる内部に溝を持つレール体の前記溝に係止するとともに、前記縦部材を固定する固定部材とを有する壁面固定家具である。被取付物を固定する構成の例を挙げると、絵画や時計を木ネジで取り付けることをが想定される場合は、十分な厚さを有する木ネジが固定できる材質により形成されることが該当し、係合部を有する棚を固定することが想定される場合は、この係合部に係合する被係合部を有することが該当する。また、縦部材が棒体により構成され、２本以上平行に設けられる場合に、棒体間が連結されている場合も棒体に含むものとする。
請求項２に記載の発明は、前記固定部材は前記縦部材の前面を壁面側に押し付けることにより前記縦部材を固定するものである。
請求項３に記載の発明は、請求項２に記載の壁面固定家具において、前記固定部材は前記縦部材の背面を壁面から所定距離を持って支持する支持部材を有するものである。
請求項４に記載の発明は、前記壁面固定家具において、前記縦部材の下端に摩擦係数を大きくする滑り止め部材を設けたものである。
請求項５に記載の発明は、前記壁面固定家具において、前記固定部材は前記レール体に摺動可能に固定されているものである。
請求項６に記載の発明は、請求項１から３のいずれか１項に記載の固定部材である。
【発明の効果】
【０００５】
請求項１に記載の発明は、縦部材は床面に接地されるので荷重のほとんどを縦部材が受けるので、被取付物が重くても壁面が受ける負担を大幅に軽減することができ、また、縦部材は水平に伸びるレールに係止固定されるので、横方向の位置調整ができ、また、縦方向は、縦部材に取り付ける被取付物の位置を調整することで位置調整ができるので、壁面に作りつける構成は水平方向に伸びるレールのみで、被取付物の位置調整を行うことができる。
請求項２に記載の発明は、前記固定部材が前記縦部材の前面を壁面側に押し付けることにより前記縦部材を固定するので、縦部材自体は特別な構造を持つ必要がなくなり、縦部材の構造の自由度を高くすることができる。
請求項３に記載の発明は、前記固定部材が前記縦部材の背面を壁面から所定距離を持って支持する支持部材を有することで、縦部材を壁面から所定距離だけ離して設けることができ、デザイン的なバリエーションを増やすことができる。
請求項４に記載の発明は、前記縦部材の下端に摩擦係数を大きくする滑り止め部材を設けることで、縦部材の下端が滑ることで傾いたり、固定部材に不要な応力をかけて損傷させたりする可能性を低減することができる。
請求項５に記載の発明は、前記固定部材を前記レール体に摺動可能に固定することで、固定部材を紛失する可能性を少なくすることができ、また、縦部材の固定作業もより容易にすることができる。
請求項６に記載の発明は、請求項１から３の固定具であり、レールが設けられた壁面と、この固定具があれば、種々の形状の縦部材を壁面固定家具の一部として利用することができる。
【発明を実施するための最良の形態】
【０００６】
以下、本発明の実施形態について図面を参照しながら説明する。
（実施形態１）
図１に第１の実施形態に係る壁面固定家具Ｘの棚の一部をはずした状態を表す斜視図を示し、図２に壁面固定家具Ｘの平面図を示す。壁面固定家具Ｘは、縦部材１０、固定部材２０とから構成される。
縦部材１０は、壁面Ｗに取り付ける被取付物を固定する構成を有する木製の板体１１により構成される。ここでは、被取付物は水平の板体からなる棚１２が想定され、これを固定する構成として長方形の長穴１１ａが両側縁近傍のそれぞれに複数並んで形成されている。棚１２には、この長穴１１ａに係合する係合金具１２ａが固定されており、任意の同じ高さに存する２つの長穴の組に係合固定できるようになっている。縦部材１０の底面にはゴムでできた滑り止め１３が接着剤により固定されている。
固定部材２０は壁面Ｗに水平に取り付けられる金属製の内部に溝を有するレールＲの溝に係合し、縦部材１０を固定するものである。ここでは、２個の固定部材２０は左右に対称な形状のものを使用する。固定部材２０は縦部材１０の前面と側面に相対するＬ字状の本体部材２１、本体部材２１の縦部材１０の前面に相対する面に形成されたネジ穴に係合する、頭部にハンドルを有し先端にクッション材を配した押圧ボルト２２、レールＲに係止するレール係止部２３とから構成される。図３に固定部材２０の押圧ボルト２２の位置における縦断面図を示す。レールＲは断面が前面に細長い開口を有する長方形状であり、開口部の上部に下垂している下垂部Ｒａを有する。固定部材２０のレール係止部２３はレールＲ内で上方に屈曲する係止片２３ａを有し、この係止片２３ａの先端をレール内に開口正面から内部上方へ回しながら差し入れることで、係止片２３ａがレールＲの下垂部Ｒａと係合する。この状態で、固定部材２０は壁面に垂直に抜けることはない。
【０００７】
壁面固定家具Ｘはこのような構成により、まず、縦部材１０の底面を床Ｆに当接させて壁面にできるだけ近接させながら所望の位置に設置する。次に、レールＲに係止片２３ａを係合させた固定部材２０の本体部材２１を縦部材１０の前面と側面に相対するように移動させ、押圧ボルト２２を締めることで縦部材１０を壁面Ｗに固定することができる。その後、縦部材１０に棚１２を所望の位置に設置することで、壁面Ｗに被取付物である棚１３を固定することができる。このような構成により、被取付物に重いものを載せても下方への重量は床Ｆにより支持されている縦部材１０が受けるので、固定部材２０にかかる力は、棚１３から生じる回転モーメントを受ける力のみで足りる。従って、レールＲの位置が十分に高ければ固定部材２０は大きな力を受けることがなく、壁面Ｗに大きな負担を掛けることがない。また、縦部材１０は壁面Ｗと独立しているので、壁面Ｗを傷つけることなく棚１３の取付構造を堅牢にするための補強をすることもできる。
また、ここでは１枚の縦部材１０を使用する場合を例示したが、例えば図４に示すように、複数枚の縦部材１０を並列にならべ、縦部材１０間でハンガー１４や棚１５を掛け渡すようにしてもよく、また、時計１６などを直接固定するようにしてもよい。
【０００８】
（実施形態２）
図５に本発明の第２の実施形態に係る壁面固定家具Ｙの斜視図を示し、図６に壁面固定家具Ｙの平面図を示す。本実施形態に係る壁面固定家具Ｙは、縦部材を棒状の縦部材５０に変えたものであり、縦部材５０と固定部材６０とから構成される。
縦部材５０はパイプよりなる２本の棒体５１が平行に配列され上部を梁５１ａにより連結されているものである。縦部材の両下端にはキャップ状のゴム製の滑り止め５３が嵌合固定されている。縦部材５０には壁面Ｗへの被取付物としてのネット５２ａ、ハンガー５２ｂが予め固定されている。なお、ハンガー５４は棒体５１上を摺動し固定できるようになっている。
固定部材６０は、やはり、壁面ＷのレールＲに係止し、縦部材５０を固定するものであり、レールＲに係止する係止片６３と係止片６３を固定する扁平な直方体状の本体部材６１、本体部材に押圧ボルト６４により固定される、棒体５１の表面に沿った形状を有する板体よりなる押圧片６２とから構成される。
この壁面固定家具Ｙはこのような構成を有することで、まず、縦部材５０の底面を床Ｆに当接させて壁面にできるだけ近接させながら所望の位置に設置する。次に、レールＲに係止片６３を係合させた固定部材６０の押圧片６３を縦部材５０の前面に係合するように移動させ、押圧ボルト６４を締めることで縦部材５０を壁面Ｗに固定することができる。
【０００９】
（実施形態３）
図７本発明の第３の実施形態に係る壁面固定家具Ｚの斜視図を示し、図８に壁面固定家具Ｚの平面図を示す。この壁面固定家具Ｚの実施形態１に係る壁面固定家具Ｘとの相違点は、固定部材８０である。固定部材８０は、やはり壁面Ｗに水平に取り付けられる金属製の内部に溝を有するレールＲの溝に係合し、縦部材１０を固定するものである。固定部材８０は、スペーサー８２、押圧版８３、支持板８４、押圧ボルト８５、レール係止部８６からなる。スペーサー８２、押圧ボルト８５、レール係止部８６は、左右で同じものが使用される。押圧板８３は縦部材１０の前面を押圧する両端近傍に穴が空けられた縦部材１０の幅よりもやや長い細長い板体からなる。支持板８４は縦部材１０を押圧板８３とともに挟持する縦部材１０の背面を支持する押圧板８３と同じ形状を有する板体からなる。レール係止部８６は、実施の形態１に示す固定部材２０のレール係止部２３が有するのと同じ形状を有する。スペーサー８２は一端がレール係止部８６に固定される丸棒体からなり、他端の先端には雌ネジが形成され、レール係止部８６が固定されている側の側面先端には雄ネジが形成されている。この雄ネジには、これに係合する雌ネジが内部に形成された締め付けリング８２ａが取り付けてあり、さらに、締め付けリング８２ａとレール係止部８６との間には、スペーサー８２が通る穴が中央に設けられた扁平な直方体状の固定板８２ｂが設けられている。押圧ボルト８５はスペーサー８２の先端に形成された雌ネジに係合する頭部にハンドルが形成されたボルトにより構成される。このような構成により、レール係止部８６の係止片をレールに係合した後に、締め付けリング８２ａをレール係止部２３側へ移動するように回すと、固定板８２ｂとレール係止部８６との間でレールＲが挟持されることになり、スペーサー８２はレールＲに固定されることになる。そして、押圧ボルト８５を縦部材１０を挟んだ押圧板８３、支持板８４の端部の穴に通して、スペーサー８２の先端の雌ネジに係合させて締め付けることで押圧板８３、縦部材１０、支持板８４をレールに固定されたスペーサー８２に固定することができる。なお、スペーサー８２および支持板８４は縦部材１０の背面を壁面から所定距離を持って支持する支持部材を形成している。
【００１０】
このような構成により、縦部材１０は押圧ボルト８５によって壁面ＷもしくはレールＲに押し付けられて固定されるのではなく、押圧ボルト８５によって支持部材を形成する壁面から離れた支持板８４に押し付けられて固定される。
壁面固定家具Ｚは、このような構成により壁面から所定距離を置いた状態で縦部材１０を固定することができ、デザイン的なバリエーションを増やすことができる。また、縦部材１０が壁面から離れるので、押圧ボルト８５を調整し、押圧板８３と支持板８４の間隔を広げることで、縦部材１０を斜めに配置するようにすることもできる。
【００１１】
（実施形態４）
図９に、本発明の第４の実施形態に係る壁面固定家具Ｖの斜視図を示す。この壁面固定家具Ｖの実施形態１に係る壁面固定家具Ｘとの相違点は、レールＲαの長さが短い点と、固定部材２０αのレール係止部２３αがレールＲα内に摺動可能に固定されており壁面に垂直な平面内での動きによっては取り外しができない点である。図１０に固定部材２０αの押圧ボルト２２の位置における縦断面図を示す。固定部材２０αのレール係止部２３αはレールＲαの内部を摺動でき、かつレールＲαの開口を通らない大きさの円筒体と円筒体の中心から突出しこの開口を摺動できる棒体から構成される。
壁面固定家具Ｖはこのような構成により、固定部材２０が既にレールに固定されているので、縦部材１０の底面を床Ｆに当接させて壁面にできるだけ近接させて設置し、固定部材２０αの本体部材２１を縦部材１０の前面と側面に相対するように移動させ、押圧ボルト２２を締めることで縦部材１０を壁面Ｗに固定することができる。
【００１２】
なお、上記実施の形態では固定部材はボルトをもちいた締め付け力により縦部材を押圧する構成を示しているが、このほかにもバネによる押圧力やロックファスナーなどの機械的な係止機構を用いることもできる。
また、上記実施の形態ではレールＲは壁の表面に取り付けられたものを示しているが、これは、溝の開口部分が表出していれば足りるのでレール本体は壁面内に埋まっていてもよい。
【図面の簡単な説明】
【００１３】
【図１】実施形態１に係る壁面固定家具の棚の一部をはずした状態を表す斜視図である。
【図２】実施形態１に係る壁面固定家具の平面図である。
【図３】実施形態１に係る固定部材の押圧ボルトの位置における縦断面図を示す。
【図４】壁面固定家具の変形例を示す平面図である。
【図５】実施形態２に係る壁面固定家具の斜視図である。
【図６】実施形態２に係る壁面固定家具の平面図である。
【図７】実施形態３に係る壁面固定家具の棚の一部をはずした状態を表す斜視図である。
【図８】実施形態３に係る壁面固定家具の平面図である。
【図９】実施形態４に係る壁面固定家具の棚の一部をはずした状態を表す斜視図である。
【図１０】固定部材の押圧ボルトの位置における縦断面図である。
【符号の説明】
【００１４】
Ｘ、Ｙ、Ｚ、Ｖ  壁面固定家具
１０、５０  縦部材
１３、５３  滑り止め
８０  固定部材
８２        スペーサー
８４        支持板
Ｒ、Ｒα    レール
Ｗ          壁
Ｆ          床
【図１】
2006247101.tif 000003
【図２】
2006247101.tif 000004
【図３】
2006247101.tif 000005
【図４】
2006247101.tif 000006
【図５】
2006247101.tif 000007
【図６】
2006247101.tif 000008
【図７】
2006247101.tif 000009
【図８】
2006247101.tif 000010
【図９】
2006247101.tif 000011
【図１０】
2006247101.tif 000012